(57)【要約】【課題】空気調和機のような制御対象装置、制御対象装置を遠隔制御するリモートコントローラなどの設定を容易に行うことが可能なリモートコントローラを得ること。【解決手段】制御対象装置を遠隔制御するリモートコントローラ１００は、伝送データに基づいて搬送音波が周波数変換された音波信号を外部の携帯端末から受信する音波通信部１１０と、受信した前記音波信号を解析し、解析結果に従ってリモートコントローラ１００および制御対象装置の少なくとも一方の設定を行う制御部１４０と、を備える。【選択図】図２
2020113837.tif 000002
【特許請求の範囲】
【請求項１】
制御対象装置を遠隔制御するリモートコントローラであって、
伝送データに基づいて搬送音波が周波数変換された音波信号を外部の携帯端末から受信する音波通信部と、
受信した前記音波信号を解析し、解析結果に従って前記リモートコントローラおよび前記制御対象装置の少なくとも一方の設定を行う制御部と、
を備えるリモートコントローラ。
【請求項２】
前記制御部は、前記音波通信部が前記携帯端末から設定値を要求する要求信号を受信すると、前記携帯端末から要求された設定値を含む伝送データを生成し、
前記音波通信部は、前記伝送データに基づいて搬送音波を周波数変換した音波信号を生成して送信する請求項１に記載のリモートコントローラ。
【請求項３】
前記音波通信部は、可聴域の音波信号を送受信可能である請求項１または２に記載のリモートコントローラ。
【請求項４】
前記音波通信部は、超音波の音波信号を送受信可能である請求項１または２に記載のリモートコントローラ。
【請求項５】
前記音波通信部は、
周囲の音波をアナログ値として出力する集音部と、
前記集音部が出力する前記アナログ値をデジタル値へ変換して前記制御部の第１ポートへ入力するデジタル変換回路と、
前記集音部が出力する前記アナログ値からスタート信号を取り出して前記制御部の第２ポートへ入力するスタート信号検知部と、
を有し、
前記制御部は、前記第２ポートに前記スタート信号が入力されたことを検知するまでは、前記第１ポートに入力された音波信号の解析処理を停止する請求項１から４のいずれか１項に記載のリモートコントローラ。
【請求項６】
前記スタート信号検知部は、
前記集音部が出力する前記アナログ値を、前記スタート信号の使用帯域に基づいて予め定められた通過帯域でフィルタリングするフィルタ回路と、
前記フィルタ回路の出力波形に含まれる包絡線を予め定められた閾値で取り出して前記第２ポートへ入力する包絡線検波回路と、
を含む請求項５に記載のリモートコントローラ。
【請求項７】
前記制御部は、予め定められた数の複数の前記スタート信号を検出すると前記解析処理を開始する請求項５または６に記載のリモートコントローラ。
【請求項８】
前記制御対象装置は、空気調和機または換気装置である請求項１から７のいずれか１項に記載のリモートコントローラ。
【請求項９】
制御対象装置および前記制御対象装置を遠隔操作するリモートコントローラの少なくとも一方の設定データを生成する制御部と、
前記設定データに基づいて搬送音波を周波数変換した音波信号を生成し、生成した前記音波信号を、前記リモートコントローラに送信する音波通信部と、
を備える携帯端末。
【請求項１０】
前記制御部は、前記リモートコントローラから設定値を取得するための要求データを生成し、
前記音波通信部は、前記要求データに基づいて搬送音波を周波数変換した音波信号である要求信号を生成し、生成した前記要求信号を前記リモートコントローラに送信する請求項９に記載の携帯端末。
【請求項１１】
前記要求データは、前記リモートコントローラを識別する識別情報を含む請求項１０に記載の携帯端末。
【請求項１２】
制御対象装置を遠隔制御するリモートコントローラが、
伝送データに基づいて搬送音波が周波数変換された音波信号を外部の携帯端末から受信するステップと、
受信した前記音波信号を解析するステップと、
解析結果に従って前記制御対象装置および前記リモートコントローラの少なくとも一方の設定を行うステップと、
を含む機器設定方法。
【請求項１３】
携帯端末が、設定値を取得するための要求データに基づいて搬送音波を周波数変換した音波信号である要求信号を第１のリモートコントローラに送信するステップと、
前記第１のリモートコントローラが、受信した前記要求信号によって要求された設定値を含む伝送データに基づいて音波信号を生成するステップと、
前記第１のリモートコントローラが、前記音波信号を送信するステップと、
前記携帯端末が、前記第１のリモートコントローラから受信した前記音波信号を解析して前記設定値を取得するステップと、
前記携帯端末が、取得した前記設定値に基づいて、第２のリモートコントローラに送信する設定データを生成するステップと、
前記携帯端末が、前記設定データを含む伝送データに基づいて搬送音波を周波数変換した音波信号を生成するステップと、
前記携帯端末が、前記音波信号を前記第２のリモートコントローラに送信するステップと、
前記第２のリモートコントローラが、受信した前記音波信号の解析結果に基づいて、前記第２のリモートコントローラおよび前記第２のリモートコントローラが遠隔操作する制御対象装置の少なくとも一方の設定を行うステップと、
を含む機器設定方法。
【請求項１４】
制御対象装置を遠隔制御するリモートコントローラと、
前記リモートコントローラと音波通信する携帯端末と、
を有し、
前記携帯端末は、前記リモートコントローラに前記制御対象装置および前記リモートコントローラの少なくとも一方の設定を行うための設定データを音波信号として送信し、
前記リモートコントローラは、前記携帯端末から受信した前記音波信号を解析し、解析結果に基づいて前記制御対象装置および前記リモートコントローラの少なくとも一方の設定を行う、
機器設定システム。
【発明の詳細な説明】
【技術分野】
【０００１】
本発明は、音波通信を用いるリモートコントローラ、携帯端末、機器設定方法および機器設定システムに関する。
【背景技術】
【０００２】
従来、空気調和機へ設定を行う際には、操作者が空気調和機のリモートコントローラを直接操作して行っていた。しかしながら、設定を行うための操作は複雑であり、時間がかかるという問題があった。
【０００３】
特許文献１には、空気調和機の設定を容易にするために、ＮＦＣ（Ｎｅａｒ  Ｆｉｅｌｄ  Ｃｏｍｍｕｎｉｃａｔｉｏｎ）またはＲＦＩＤ（Ｒａｄｉｏ  Ｆｒｅｑｕｅｎｃｙ  ＩＤｅｎｔｉｆｉｅｒ）のような電波または磁界を使用した近距離無線通信を使用して、スマートフォンなどの外部装置から設定データをリモートコントローラに送信する方法が開示されている。
【先行技術文献】
【特許文献】
【０００４】
【特許文献１】特開２０１６−１９４４０２号公報
【発明の概要】
【発明が解決しようとする課題】
【０００５】
しかしながら、上記特許文献１に開示される技術のように、外部装置とリモートコントローラとを電波または磁界を使用した近距離無線通信で接続する場合、通信可能距離は長くても１ｍ程度であり、操作者がリモートコントローラの付近に移動して設定作業を行う必要がある。このため、特にビル用マルチシステムのように、複数の空気調和機に対して同様のデータ設定を行う際には、操作者が一台一台リモートコントローラの付近に移動して設定作業を行う必要があり、作業に時間がかかるという問題があった。
【０００６】
本発明は、上記に鑑みてなされたものであって、空気調和機のような制御対象装置、制御対象装置を遠隔制御するリモートコントローラなどの設定を容易に行うことが可能なリモートコントローラを得ることを目的とする。
【課題を解決するための手段】
【０００７】
上述した課題を解決し、目的を達成するために、本発明に係るリモートコントローラは、制御対象装置を遠隔制御するリモートコントローラであって、伝送データに基づいて搬送音波が周波数変換された音波信号を外部の携帯端末から受信する音波通信部と、受信した音波信号を解析し、解析結果に従ってリモートコントローラおよび制御対象装置の少なくとも一方の設定を行う制御部と、を備える。
【発明の効果】
【０００８】
本発明によれば、空気調和機のような制御対象装置、制御対象装置を遠隔制御するリモートコントローラなどの設定を容易に行うことが可能であるという効果を奏する。
【図面の簡単な説明】
【０００９】
【図１】本発明の実施の形態１にかかる機器設定システムの構成を示す図
【図２】図１に示すリモートコントローラの機能構成を示す図
【図３】図２に示すリモートコントローラの機能を実現するためのハードウェア構成の一例を示す図
【図４】図３に示す集音装置の出力波形と、ＭＣＵの入力波形とを示す図
【図５】図１に示す携帯端末の機能構成を示す図
【図６】図５に示す携帯端末が表示する設定画面の一例を示す図
【図７】図５に示す携帯端末が表示する表示設定画面の一例を示す図
【図８】図５に示す携帯端末の動作を示すフローチャート
【図９】図２に示すリモートコントローラの動作を示すフローチャート
【発明を実施するための形態】
【００１０】
以下に、本発明の実施の形態にかかるリモートコントローラ、携帯端末、機器設定方法および機器設定システムを図面に基づいて詳細に説明する。なお、この実施の形態によりこの発明が限定されるものではない。
【００１１】
実施の形態１．
図１は、本発明の実施の形態１にかかる機器設定システム１０の構成を示す図である。機器設定システム１０は、制御対象装置を遠隔操作するリモートコントローラ１００Ａ，１００Ｂと、携帯端末２００とを有する。なお、本明細書および図面において、リモートコントローラ１００Ａ，１００Ｂのそれぞれを特に区別する必要がない場合、単にリモートコントローラ１００と称する。図１では機器設定システム１０は２台のリモートコントローラ１００Ａ，１００Ｂを有することとしたが、機器設定システム１０は１台のリモートコントローラ１００を有してもよいし、３台以上のリモートコントローラ１００を有してもよい。
【００１２】
リモートコントローラ１００は、空気調和機、換気装置などの制御対象装置を遠隔制御する機能を有する。携帯端末２００は、スマートフォン、タブレット端末、ＰＣ（Ｐｅｒｓｏｎａｌ  Ｃｏｍｐｕｔｅｒ）などの外部装置であり、制御対象装置の設定を行うためのアプリケーションソフトウェアがインストールされている。リモートコントローラ１００は、音波通信を用いて、携帯端末２００との間でデータを送受信することができる。具体的には、リモートコントローラ１００は、携帯端末２００が音波通信を使用して送信する設定データに従って、制御対象装置およびリモートコントローラ１００の少なくとも一方の設定を行うことができる。また携帯端末２００は、リモートコントローラ１００から音波通信を使用して制御対象装置およびリモートコントローラ１００の少なくとも一方の現在の設定値を取得することができる。
【００１３】
携帯端末２００が送信する設定データは、例えば、リモートコントローラ１００が備える図示しない液晶表示用モジュールのバックライト設定値、コントラスト設定値など表示の見栄え設定、温度の表示単位、表示に使用する言語などリモートコントローラ１００の基本設定値を含む。また携帯端末２００が送信する設定データは、リモートコントローラ１００が遠隔制御する制御対象装置の設定値を含んでもよい。
【００１４】
リモートコントローラ１００および携帯端末２００が音波通信に使用する音波は、２０ｋＨｚ未満の可聴域の音波であってもよいし、２０ｋＨｚ以上の超音波であってもよい。可聴域の音波を使用する場合、データの送信または受信が行われたことを操作者が耳で確認することができる。また超音波を使用する場合、可聴域の音波を使用するよりもデータの圧縮率を大きくすることができる。
【００１５】
図２は、図１に示すリモートコントローラ１００の機能構成を示す図である。リモートコントローラ１００は、音波通信部１１０と、制御部１４０とを有する。音波通信部１１０は、音波受信部１２０および音波送信部１３０を有する。
【００１６】
音波通信部１１０は、携帯端末２００との間で、音波信号を用いた音波通信を行う。音波受信部１２０は、リモートコントローラ１００の外部の携帯端末２００が送信した音波信号を受信し、受信した音波信号を制御部１４０に入力する。音波送信部１３０は、制御部１４０から入力される伝送データに基づいて、搬送音波を周波数変換した音波信号を生成し、生成した音波信号を送信する。
【００１７】
制御部１４０は、音波受信部１２０が音波信号を受信すると、受信した音波信号を解釈して伝送データを復元する。制御部１４０は、伝送データに含まれる設定データに従って制御対象装置の設定を行う。また制御部１４０は、携帯端末２００への伝送データを生成し、生成した伝送データを音波送信部１３０に入力する機能も有する。制御部１４０は、携帯端末２００から制御対象装置の設定値を要求する要求信号を受信すると、要求信号に応じて、制御対象装置の設定値を含む伝送データを生成する。
【００１８】
図３は、図２に示すリモートコントローラ１００の機能を実現するためのハードウェア構成の一例を示す図である。
【００１９】
リモートコントローラ１００の音波通信部１１０の機能は、集音装置１２１、Ａ／Ｄ（Ａｎａｌｏｇ／Ｄｉｇｉｔａｌ）変換回路１２２、フィルタ回路１２３、包絡線検波回路１２４、Ｄ／Ａ（Ｄｉｇｉｔａｌ／Ａｎａｌｏｇ）変換回路１３１、発音装置１３２といった構成要素を用いて実現することができる。これらの構成要素のうち、集音装置１２１、Ａ／Ｄ変換回路１２２、フィルタ回路１２３、および包絡線検波回路１２４は、音波受信部１２０の機能を実現するために用いられる。またこれらの構成要素のうち、Ｄ／Ａ変換回路１３１、および発音装置１３２は、音波送信部１３０の機能を実現するために用いられる。リモートコントローラ１００の制御部１４０の機能は、ＭＣＵ（Ｍｉｃｒｏ  Ｃｏｎｔｒｏｌｌｅｒ  Ｕｎｉｔ）１４１を用いて実現することができる。
【００２０】
集音装置１２１は、周囲の音波をアナログ値として出力する集音部である。集音装置１２１は、例えばマイクモジュールである。集音装置１２１が出力したアナログ値は、Ａ／Ｄ変換回路１２２およびフィルタ回路１２３に入力される。Ａ／Ｄ変換回路１２２は、入力されたアナログ値をデジタル値へ変換して出力する。Ａ／Ｄ変換回路１２２が出力したデジタル値は、ＭＣＵ１４１のポートａに入力される。ポートａは、ＭＣＵ１４１がＡ／Ｄ変換回路１２２の出力信号を取り込む第１ポートであり、ポートの数は１つでなくてもよい。
【００２１】
フィルタ回路１２３は、集音装置１２１から入力されるアナログ値を予め定められた周波数帯域でフィルタリングする。包絡線検波回路１２４は、フィルタ回路１２３の出力波形に含まれる包絡線を任意の閾値で取り出す。包絡線検波回路１２４の出力はＭＣＵ１４１のポートｂに入力される。ポートｂは、ＭＣＵ１４１がスタート信号を取り込むための第２ポートである。スタート信号は、携帯端末２００とリモートコントローラ１００との間で予め定められた周波数およびタイミングで送信される信号であり、伝送データの通信を開始する前に送信され、通信の開始を示す信号である。
【００２２】
フィルタ回路１２３および包絡線検波回路１２４は、スタート信号が通過できるように設定される。フィルタ回路１２３が通過させる周波数帯域である通過帯域は、スタート信号の使用帯域に基づいて予め定められる。フィルタ回路１２３は、スタート信号の使用帯域を含む通過帯域の信号を通過して、通過帯域以外の信号を遮断する。フィルタ回路１２３および包絡線検波回路１２４は、スタート信号検知部１２５とも呼ばれる。スタート信号検知部１２５は、集音装置１２１が出力するアナログ値からスタート信号を取り出してＭＣＵ１４１のポートｂへ入力する。
【００２３】
音波受信部１２０が上記のような構成をとることによって、ＭＣＵ１４１のポートａには、Ａ／Ｄ変換回路１２２から音波信号のデジタル値が常時入力され、ＭＣＵ１４１のポートｂには、音波受信部１２０が受信した音波信号にスタート信号が含まれる場合、スタート信号が入力されることになる。
【００２４】
Ｄ／Ａ変換回路１３１は、ＭＣＵ１４１のポートｃから入力される伝送データのデジタル値をアナログ値に変換して出力する。ポートｃは、ＭＣＵ１４１が音波送信部１３０に伝送データを出力するための第３ポートである。Ｄ／Ａ変換回路１３１が出力するアナログ値は、発音装置１３２に入力される。発音装置１３２は、入力されたアナログ値を音波として周囲へ発音するスピーカモジュールなどである。発音装置１３２は、増幅回路などの図示しないオーディオ回路を含む。
【００２５】
ＭＣＵ１４１は、音波受信部１２０から入力される音波信号の周波数を解析する機能を有する。ＭＣＵ１４１は、解析結果に従って制御対象装置の設定を行う。また、ＭＣＵ１４１は、音波送信部１３０から送信する音波信号を生成するための伝送データを生成して出力する。例えば、ＭＣＵ１４１は、音波受信部１２０から入力される音波信号に、制御対象装置の現在の設定値を要求する要求信号が含まれる場合、要求された設定値を含む伝送データを生成してポートｃから出力する。ＭＣＵ１４１は、音波信号を用いて、制御対象装置の設定値を含む伝送データを携帯端末２００に送信することができる。
【００２６】
図４は、図３に示す集音装置１２１の出力波形と、ＭＣＵ１４１の入力波形とを示す図である。図４には、集音装置１２１の出力波形と、ＭＣＵ１４１のポートａへの入力波形と、ＭＣＵ１４１のポートｂへの入力波形とが示されている。期間Ｔ１ｓ〜Ｔ４にかけて携帯端末２００からリモートコントローラ１００に対して音波信号が送信され、リモートコントローラ１００の集音装置１２１に取り込まれる。
【００２７】
ここで、期間Ｔ１ｓ〜Ｔ４のうち、Ｔ１ｓ〜Ｔ３ｅまでは、音波通信の開始を示すスタート信号が集音装置１２１に入力される。期間Ｔ１ｓ〜Ｔ４のうち、期間Ｔ３ｅ〜Ｔ４までは、設定値、設定値の要求などデータ内容を示す信号が集音装置１２１に入力される。なお、スタート信号は、ノイズ耐性を向上させるために複数回送信されてもよい。図４に示す図では、スタート信号は３回送信されている。
【００２８】
集音装置１２１が出力した音波信号のアナログ値は、Ａ／Ｄ変換回路１２２によりデジタル値に変換されて、ＭＣＵ１４１のポートａに常時入力される。
【００２９】
また集音装置１２１が出力した音波信号のアナログ値は、Ａ／Ｄ変換回路１２２の前段で分岐してスタート信号検知部１２５を経由してＭＣＵ１４１のポートｂに入力される。なお、フィルタ回路１２３の通過帯域は、スタート信号の周波数を通過させられればよく、データの送信に使用される周波数は通過させてもよいし、通過させなくてもよい。図４に示す例では、フィルタ回路１２３の通過帯域は、データの送信に使用される周波数は遮断するように設定されている。
【００３０】
ＭＣＵ１４１は、ポートｂに入力される信号が既知のスタート信号と一致した場合、つまり、スタート信号検知部１２５がスタート信号を検知した場合、音波信号の周波数解析処理を開始する。言い換えると、ＭＣＵ１４１は、スタート信号が検知されるまでは、音波信号の周波数解析処理を停止している。ＭＣＵ１４１は、周波数解析処理の結果、音波信号に設定データが含まれている場合、解析結果に従ってリモートコントローラ１００および制御対象装置の少なくとも一方の設定を行う。また、ＭＣＵ１４１は、周波数解析処理の結果、音波信号に携帯端末２００からの要求信号が含まれている場合、要求信号が示す設定値を含む伝送データを生成してポートｃに出力し、音波送信部１３０から携帯端末２００に向けて送信する。
【００３１】
図５は、図１に示す携帯端末２００の機能構成を示す図である。携帯端末２００は、音波通信部２１０と制御部２４０と、表示操作部２５０とを有する。音波通信部２１０は、音波受信部２２０と音波送信部２３０とを有する。
【００３２】
音波通信部２１０は、リモートコントローラ１００との間で、音波信号を用いた音波通信を行う。音波受信部２２０は、リモートコントローラ１００が送信した音波信号を受信し、受信した音波信号を制御部２４０に入力する。音波送信部２３０は、制御部２４０から入力される伝送データに基づいて、搬送音波を周波数変換した音波信号を生成し、生成した音波信号を送信する。
【００３３】
制御部２４０は、音波受信部２２０が音波信号を受信すると、受信した音波信号を解釈して伝送データを復元する。制御部２４０は、復元した伝送データがリモートコントローラ１００および制御対象装置の少なくとも一方の設定値を含む場合、設定値を表示画面に表示することができる。
【００３４】
制御部２４０は、リモートコントローラ１００および制御対象装置の少なくとも一方の設定を受け付けるための設定画面を表示する。制御部２４０は、設定画面に対する入力が行われると、設定画面を用いて入力された設定データを含む伝送データを生成し、生成した伝送データを音波送信部２３０に入力する。
【００３５】
表示操作部２５０は、制御部２４０が生成した画面を表示する機能と、表示した画面に対する操作を受け付ける機能とを有する。表示操作部２５０は、例えば、表示装置にタッチセンサを重畳したタッチパネルである。
【００３６】
図６は、図５に示す携帯端末２００が表示する設定画面の一例を示す図である。制御部２４０は、表示操作部２５０を用いて、図６に示す設定画面を出力することができる。設定画面を用いて設定することができる項目は、基本設定、表示設定、運転設定、省エネ設定、タイマー・スケジュール設定、メンテナンス設定、サービス設定などである。
【００３７】
また、この設定画面を用いて、携帯端末２００は、リモートコントローラ１００から設定データを取得することもできる。操作者が設定画面を用いて、設定データを取得するための操作を行うと、制御部２４０は、リモートコントローラ１００に設定値を要求するための要求データを生成する。要求データは、取得する設定値の項目を示す情報を含む。また要求データは、設定値の要求先であるリモートコントローラ１００を識別する識別情報を含んでもよい。制御部２４０は、音波送信部２３０を用いて、生成した要求データに基づいて搬送音波を周波数変換した音波信号である要求信号をリモートコントローラ１００に送信させる。
【００３８】
図７は、図５に示す携帯端末２００が表示する表示設定画面の一例を示す図である。制御部２４０は、表示操作部２５０を用いて、図７に示す表示設定画面を出力することができる。表示設定画面は、図６に示す設定画面の「表示設定」を選択する操作が行われると、表示される。表示設定画面を用いて設定することができる項目は、メイン画面表示設定、リモコン表示設定、言語表示設定、コントラスト・輝度調整設定、ＣＯ２表示設定などである。
【００３９】
続いて、携帯端末２００の動作について説明する。図８は、図５に示す携帯端末２００の動作を示すフローチャートである。携帯端末２００の制御部２４０は、操作者が設定アプリケーションを起動する操作を行うと、設定アプリケーションを起動する（ステップＳ１０１）。
【００４０】
制御部２４０は、図６に示す設定画面を表示し、操作者の入力操作を受け付ける（ステップＳ１０２）。操作者が入力操作を行うと、制御部２４０は、入力操作が設定データの送信を指示しているのか、設定データの取得を指示しているのかを判断する（ステップＳ１０３）。
【００４１】
設定データの送信が指示された場合（ステップＳ１０３：送信）、制御部２４０は、設定画面に対する入力操作に基づいて、設定データを生成する（ステップＳ１０４）。音波送信部２３０は、制御部２４０から設定データが入力されると、設定データに基づいて、音波信号を生成する（ステップＳ１０５）。
【００４２】
設定データの取得が指示された場合（ステップＳ１０３：取得）、制御部２４０は、設定画面に対する入力操作に基づいて、要求する設定データの項目を指示する要求データを生成する（ステップＳ１０６）。音波送信部２３０は、制御部２４０から要求データが入力されると、要求データに基づいて、音波信号を生成する（ステップＳ１０７）。
【００４３】
音波送信部２３０は、ステップＳ１０５またはステップＳ１０７で生成された音波信号を送信する（ステップＳ１０８）。
【００４４】
続いて、リモートコントローラ１００の動作について説明する。図９は、図２に示すリモートコントローラ１００の動作を示すフローチャートである。リモートコントローラ１００の制御部１４０は、ポートｂへの入力に基づいて、スタート信号を検知したか否かを判断する（ステップＳ２０１）。
【００４５】
スタート信号を検知した場合（ステップＳ２０１：Ｙｅｓ）、制御部１４０は、音波信号の周波数解析処理を開始する（ステップＳ２０２）。スタート信号を検知しない場合（ステップＳ２０１：Ｎｏ）、制御部１４０は、スタート信号を検知するまでステップＳ２０１の処理を繰り返す。
【００４６】
制御部１４０は、周波数解析処理の解析結果が設定データであるか否かを判断する（ステップＳ２０３）。ここでは、携帯端末２００から送信される音波信号は設定データまたは要求データであることを前提とする。
【００４７】
解析結果が設定データである場合（ステップＳ２０３：Ｙｅｓ）、制御部１４０は、解析結果に従って、制御対象装置およびリモートコントローラ１００の少なくとも一方の設定処理を行う（ステップＳ２０４）。
【００４８】
解析結果が要求データである場合（ステップＳ２０３：Ｎｏ）、制御部１４０は、要求データに基づいて、設定データを音波生成用データに変換した伝送データを生成する（ステップＳ２０５）。音波送信部２３０は、伝送データに基づいて音波信号を生成する（ステップＳ２０６）。音波送信部２３０は、生成した音波信号を送信する（ステップＳ２０７）。
【００４９】
なお、携帯端末２００は、複数のリモートコントローラ１００のうちの一部に伝送データを送信したい場合、音波信号に宛先を付加してもよい。この場合、リモートコントローラ１００は、自身宛でない音波信号を受信しても、設定処理および設定データの送信処理を行わない。
【００５０】
以上説明したように、本発明の実施の形態１によれば、リモートコントローラ１００は、外部装置である携帯端末２００から音波を用いて設定データを受信し、リモートコントローラ１００および制御対象装置の少なくとも一方への設定を行うことができる。このような構成をとることで、音波到達範囲に設置される複数のリモートコントローラ１００に同時に設定データを伝送することができるため、データの設定作業を携帯端末２００から容易に行うことが可能になる。音波を用いることで、ルータなどの通信機器を設置する必要がなく、また、複数のリモートコントローラ１００のそれぞれと１台ずつペアリング作業を行う必要もない。また、音波の到達距離は、ＮＦＣなどの近距離無線の通信距離よりも長いため、離れた場所からでもリモートコントローラ１００に設定データを伝送することができるようになる。
【００５１】
音波通信に可聴域の音波を使用した場合、データの送信または受信が行われていることを操作者が耳で確認することができ、操作者は、リモートコントローラ１００と携帯端末２００との間の通信接続を容易に判断することができ、データの設定または取得が可能なリモートコントローラ１００を容易に特定することが可能になる。
【００５２】
音波通信に超音波を用いる場合、可聴域の音波と比較してより大きなデータ圧縮率を実現することができる。このため、データの取得または設定にかかる時間を短縮することが可能になる。
【００５３】
また、リモートコントローラ１００は、スタート信号を検知するまでは、音波信号の周波数解析処理を停止している。このため、リモートコントローラ１００は、携帯端末２００からの音波通信が行われていないときには、周波数解析処理を停止しており、ＭＣＵ１４１に備わるＣＰＵ（Ｃｅｎｔｒａｌ  Ｐｒｏｃｅｓｓｉｎｇ  Ｕｎｉｔ）のリソース消費を低減することが可能になる。
【００５４】
また、制御部１４０は、複数のスタート信号を検知すると、周波数解析処理を開始することができる。つまり、制御部１４０は、予め定められた２以上の数のスタート信号を検知するまでは、周波数解析処理を停止することができる。この場合、スタート信号と同一周波数のノイズで周波数解析処理が誤って開始してしまうことを防ぐことができ、音波通信のノイズ耐性を向上することができる。
【００５５】
また、リモートコントローラ１００は、携帯端末２００から要求信号を受信すると、要求信号が示す項目の設定値を含む音波信号を携帯端末２００に送信する機能を有する。このような構成をとることで、携帯端末２００は、リモートコントローラ１００から、リモートコントローラ１００および制御対象装置の現在の設定値を取得することが可能になる。したがって、既にリモートコントローラ１００および制御対象装置に設定された値を確認することが容易になる。例えば、保守・点検業務、制御対象装置を利用するユーザからの問い合わせ対応を行う際には、実作業に入る前の準備作業として、制御対象装置の動作を確認したり現在の設定値を確認したりすることがある。従来であれば、専用のメンテナンスツールを接続したり、リモートコントローラの複雑な操作を行ったりして、準備作業を行っていた。これに対して、本実施の形態にかかるリモートコントローラ１００を使用することで、容易な操作で、リモートコントローラ１００から制御対象装置およびリモートコントローラ１００に設定された値を取得することができ、上記の準備作業が容易になる。
【００５６】
また、携帯端末２００が、設定済みのリモートコントローラ１００および制御対象装置から設定値を取得し、他のリモートコントローラ１００に取得した設定値を音波通信で送信することで、設定値を装置間でコピーすることができるようになる。したがって、リモートコントローラ１００および制御対象装置の設定を容易に行うことが可能になる。例えば、オフィスビルなどの建物のレイアウト変更に伴って、リモートコントローラを増設したり、リレイアウトしたりする際に、既存の設定と同じ値を使用したい場合がある。従来であれば、既存の設定値を確認し、確認した設定値をひとつひとつのリモートコントローラに入力する操作が必要であった。これに対して、本実施の形態にかかるリモートコントローラを使用することで、携帯端末２００は、設定済みの第１のリモートコントローラ１００から設定値を取得して、第２のリモートコントローラ１００にそのまま設定値をコピーしたり、一部の設定値のみを変更してから第２のリモートコントローラ１００に設定値を送信したりすることができる。このような動作は、携帯端末２００にインストールされたアプリケーションプログラムの画面上から操作を行うことで実行される。このため、設定作業が容易となり、設定の誤りを抑制することが可能になる。
【００５７】
また、実施の形態１において、用いられる音波通信は、伝送データに基づいて搬送音波が周波数変換された音波信号を用いる。このような音波信号は、予め定められた周波数帯域を使用し、既知のパターンを使用してデータを伝送しているため、音声解析よりも伝送データを正確に伝送することが可能になる。また、受信側における周波数解析処理は、音声解析処理よりも処理負荷が低い。
【００５８】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００５９】
１０  機器設定システム、１００，１００Ａ，１００Ｂ  リモートコントローラ、１１０，２１０  音波通信部、１２０，２２０  音波受信部、１２１  集音装置、１２２  Ａ／Ｄ変換回路、１２３  フィルタ回路、１２４  包絡線検波回路、１２５  スタート信号検知部、１３０，２３０  音波送信部、１３１  Ｄ／Ａ変換回路、１３２  発音装置、１４１  ＭＣＵ、１４０，２４０  制御部、２００  携帯端末、２５０  表示操作部。
【図１】
2020113837.tif 000003
【図２】
2020113837.tif 000004
【図３】
2020113837.tif 000005
【図４】
2020113837.tif 000006
【図５】
2020113837.tif 000007
【図６】
2020113837.tif 000008
【図７】
2020113837.tif 000009
【図８】
2020113837.tif 000010
【図９】
2020113837.tif 000011